(57)【特許請求の範囲】
【請求項１】
４枚のカラーカードからなり、自然界の色彩調和に一致する配色を決定する器材であって、
（イ）  ソルの赤、エアロの赤、アクアの赤、アクアのピンク、エアロのピンク及びソルのピンクを彩色した赤／ピンクカラーカード、
（ロ）  ソルの黄、エアロの黄、アクアの黄、アクアの緑、エアロの緑およびソルの緑を彩色した黄／緑カラーカード、
（ハ）  ソルの紫、エアロの紫、アクアの紫、アクアの白、エアロの白およびソルの白を彩色した紫／白カラーカード、および
（ニ）  明度の高いソルの茶、明度の低いソルの茶、明度の低いエアロの茶、明度の高いエアロの茶、明度の高いアクアの青、明度の低いアクアの青、明度の低いエアロの青及び明度の高いエアロの青を彩色した茶／青カラーカードからなり
ソルの赤がＪＩＳ標準色票  ５Ｒ  ４／１４
エアロの赤がＪＩＳ標準色票  １０ＲＰ  ４／１４
アクアの赤がＪＩＳ標準色票  ５ＲＰ  ４／１２
アクアのピンクがＪＩＳ標準色票  ５ＲＰ  ７／８
エアロのピンクがＪＩＳ標準色票  １０ＲＰ  ７／８
ソルのピンクがＪＩＳ標準色票  ５Ｒ  ７／８
ソルの黄がＪＩＳ標準色票  １０ＹＲ  ８／１０
エアロの黄がＪＩＳ標準色票  ２．５Ｙ  ８／１０
アクアの黄がＪＩＳ標準色票  ７．５Ｙ  ８／１０
アクアの緑がＪＩＳ標準色票  ２．５Ｇ  ４／６
エアロの緑がＪＩＳ標準色票  ７．５ＧＹ  ４／６
ソルの緑がＪＩＳ標準色票  ２．５ＧＹ  ４／６
ソルの紫がＪＩＳ標準色票  １０Ｐ  ４／６
エアロの紫がＪＩＳ標準色票  ７．５Ｐ  ４／８
アクアの紫がＪＩＳ標準色票  ５Ｐ  ４／８
アクアの白がＪＩＳ標準色票  ７．５Ｂ  ９／１
エアロの白がＪＩＳ標準色票  ２．５Ｙ  ９／１
ソルの白がＪＩＳ標準色票  ７．５ＹＲ  ９／１
明度の高いソルの茶がＪＩＳ標準色票  ２．５ＹＲ  ６／６
明度の低いソルの茶がＪＩＳ標準色票  ２．５ＹＲ  ３／４
明度の低いエアロの茶がＪＩＳ標準色票  １０ＲＰ  ３／４
明度の高いエアロの茶がＪＩＳ標準色票  １０ＲＰ  ６／４
明度の高いアクアの青がＪＩＳ標準色票  ５ＰＢ  ６／８
明度の低いアクアの青がＪＩＳ標準色票  ７．５ＰＢ  ３／１０
明度の低いエアロの青がＪＩＳ標準色票  ２．５ＰＢ  ４／８
明度の高いエアロの青がＪＩＳ標準色票  ２．５ＰＢ  ６／６
であることを特徴とする配色決定器材。
【発明の詳細な説明】
【０００１】
【発明の属する技術分野】
本発明は商品の色、パッケージの色、店舗の色、衣服の色、室内装飾の色等において、自然の色調と調和して、人に快適な印象を与える配色を容易に決定できる配色決定方法並びに配色決定用器材、特にそのためのカラーカードに関するものである。
【０００２】
【従来の技術】
従来、配色の決定には個人の感覚によるところが多かったが個人にによるバラツキがあったり、不正確であったり、科学性の少ないものであった。又、さらに特公平５−６１６３５や特開平９−２５１２６９に見られる方法も開発されているが、さらに満足すべき配色決定方法並びに配色決定のための器材の開発が望まれている。
【０００３】
【発明が解決しようとする課題】
今まで配色調和を決めるのに、主として個人の勘あるいは感覚的なものに基づいていたが、それに対して本発明では、人間が最もなじんでいる植物に見られる配色法則（特に１株ごとの植物の配色に基づく法則）に基づく絶対的な自然に調和した配色を得ることを課題とする。
【０００４】
【課題を解決するための手段】
ソルカラー、アクアカラー及びエアロカラーを採用することを特徴とする手段である。より詳しくは、本発明は
（１）  エアロカラー、ソルカラー及びアクアカラーの１以上を使用することを特徴とする配色決定方法、
（２）  エアロカラー、ソルカラー及びアクアカラーの２又は３を使用することを特徴とする前記（１）の配色決定方法、
（３）  エアロカラー、ソルカラー及びアクアカラーの１以上で彩色したカラーカードを使用することを特徴とする前記（１）〜（２）記載の配色決定方法、
（４）  対象の色彩を明示する孔を中心部に有し、その外周部にエアロカラー、ソルカラー及びアクアカラーの１以上で彩色した円盤状のカラーカードを使用することを特徴とする前記（１）〜（３）記載の配色決定方法、
（５）  外周部にエアロカラー、ソルカラー及びアクアカラーの緑及び黄を彩色した円盤状カラーカード、エアロカラー、ソルカラー及びアクアカラーの赤及びピンクを彩色した円盤状カラーカード、エアロカラー、ソルカラー及びアクアカラーの紫および白を彩色した円盤状カラーカード、及びソルカラー及びエアロカラーの茶とエアロカラー及びアクアカラーの青を彩色した円盤状カラーカードの計四枚のカラーカードを使用することを特徴とする前記（４）記載の配色決定方法、
（６）  各カラーの各色が円盤状カード上で扇形形状で且つ等面積を占めていることを特徴とする前記（５）記載の配色決定方法、
（７）  色相が同じで明度が異なる２以上のエアロカラー、ソルカラー又はアクアカラーを用いることを特徴とする前記（１）〜（６）記載の配色決定方法、
（８）  エアロカラー、ソルカラー又は／及びアクアカラーを具備したことを特徴とする配色決定器材、
（９）  エアロカラー、ソルカラー及びアクアカラーの２又は３を具備したことを特徴とする配色決定用器材、
（１０）対象の色彩を明示する孔を中心に有し、その外周部にエアロカラー、ソルカラー及びアクアカラーの１以上で彩色したことを特徴とする配色決定用円盤状カラーカード、
（１１）外周部にエアロカラー、ソルカラー及びアクアカラーの緑及び黄を彩色した円盤状カラーカード、エアロカラー、ソルカラー及びアクアカラーの赤及びピンクを彩色した円盤状カラーカード、エアロカラー、ソルカラー及びアクアカラーの紫および白を彩色した円盤状カラーカード、及びソルカラー及びエアロカラーの茶とエアロカラー及びアクアカラーの青を彩色した円盤状カラーカードの計四枚の円盤状カラーカードからなることを特徴とする配色決定用器材、
（１２）色相が同じで明度が異なる2以上のエアロカラー、ソルカラー又はアクアカラーを用いることを特徴とする前記（９）〜（１１）記載の配色決定用器材、
（１３）各カラーの各色が円盤状カード上で扇形形状で且つ等面積を占めていることを特徴とする前記（１１）〜（１２）記載の配色決定用器材、
（１４）２以上の色彩がイ）ソルだけの構成になる、ロ）エアロだけの構成になる、ハ）アクアだけの構成になる、ニ）エアロとソルの混合構成となる、あるいはホ）エアロとアクアの混合構成となるよう、該２以上の色彩を選択することを特徴とする色彩の配色決定方法、
（１５）２以上の色彩がイ）ソルだけの構成になる、ロ）エアロだけの構成になる、ハ）アクアだけの構成になる、ニ）エアロとソルの混合構成となる、あるいはホ）エアロとアクアの混合構成となるよう、該２以上の色彩を選択することを特徴とする色彩の配色決定用器材、および
（１６）前記（１）〜（１５）に記載の方法又は器材によって配色が決定された物、
に関する。
【０００５】
人間の色彩感覚はサルからきているといったら、この明細書を読まれるみなさんは怒るでしょうか。
発明者が以前勤めていた会社がアメリカのフィルム＆カメラメーカーであるポラロイド社でした。写真を撮ったらすぐに現像されて、プリントしたものが見れるインスタント写真を使ったことがある人は多いでしょう。写真の結果がすぐに分かるだけに、この会社にいるときは色と心中するような大変な毎日でした。仕事は写真を撮った人をいかに満足させるかにつきるのですが、一つ興味深かったことは、人工的なもの、たとえばお菓子の袋などを写真に写した場合、出てきた色と実物との色のズレに対してあまり気にしないのに、リンゴやオレンジなど自然のものの場合は、写真と実物をあまり見比べないうちから色がおかしいといわれることが多かったことです。
【０００６】
写真と実物と比べなくても色の違いが分かるというのは、自然の色彩に対して本能的なものが働いているということです。人間のなかに、自然の色が遺伝子的なプログラムとしてすでに登録されているということです。だから実物と比べなくても、写真の色を見ておかしいということが分かるのではないかと思ったのです。
ご存じのように、私たちが人間になる前はサルでした。サルは安全な樹上を生活の場としています。サルはエサを求めて樹上を枝から枝へ飛び移るうちに、距離を正確につかむ能力が発達しました。枝に飛びつくとき、しっかりにぎらなければ落下という惨めなめにあいますから、目と手をよく使い、そのために脳が発達しました。おかげで色まで見えるようになりましたが、哺乳類のなかでは、サルだけが特別に色が見えるようになったのです。樹の高いところには敵はいないし、サルは食料に恵まれた緑の楽園に過ごしたといえるでしょう。
【０００７】
私たちの先祖は、今から５００万年前にサルから分かれて、ヒトの道を歩むようになりました。そのとき、サルから色を見る能力をもらいました。そしてチンパンジーは森に、人間は森を出て草原に住みましたが、チンパンジーと私たち現代人の遺伝子の違いは、わずか1％しかないのです。遺伝子というのは、私たちの体の設計図のようなものです。ということは、私たちの体は、いまだに99％自然のプログラムでできていることになります。
【０００８】
霊長類研究で有名な河合雅雄京都大学名誉教授は、次のようにいっています。
「人は、サルのいろいろの性質をそのまま引きずってきています。私たちが緑のなかで暮らすと心が休まり落ち着くという性質は、ヒトがサルであったころ、緑のなかで生活していた体験が、われわれのＤＮＡのなかに組み込まれたのではないかと私は考えています」
人間と色、人間と植物、花とのかかわりについて、先を続けましょう。
サルから色を見る能力をもらった人間は、植物とどんどんかかわりをもつようになります。
【０００９】
人になってから、人は植物を採取し、動物を狩猟して生活しました。まだ畑を耕すことも種を蒔くこともなく、自然の恵みだけで生活していました。古代人には、そのなかで花だけはほかの生き物と違うように見えてきたと思われます。花だけは神聖なものに思えてきたのです。
ネアンデルタール人は死んだ仲間に、アザミやタチアオイの花を供えていたと言われています。花の精霊が、死んだ人の魂をよみがえらせると思っていたのかもしれません。あるいは、肉親や友を失った悲しみを花で癒していたのでしょうか。
【００１０】
死者に花を献花する習慣が今も続いているというのは、どういうことでしょう。
古代人が火を扱うようになって、植物との関係はさらに深くなります。まず、火を燃やすものは木です。それで柔らかい植物で籠をつくり始めました。籠づくりは、衣類をつくる技術に発展していきます。衣類を、花や木の実や草の色で彩色するのですが、彩色のヒントは、花や果実を籠に入れて運んでいるとき、籠に植物の美しい色が付着したところから得たのだろうと思われます。
【００１１】
縄文人は、植物を育てる土を母親のように思っていました。太陽や月は、その母の「目」でしかなかったようです。そして、石は母の体の骨。母なる土には、大変敬意を払ったようです。
ですから、土によって美しく咲く花には、土の精霊が宿っていると考えていたようです。
縄文人は花から自然の仕組みについて教えてもらっていました。春はいつ来るのか、梅雨はいつ明けるのか、いつ種を蒔けばよいのか、魚はいつ沖から浜にやって来るのか…・。花が開くタイミングは、その地域の自然の移り変わりを正確につかんでいます。
【００１２】
今でも農家の年配の人々は、花による自然暦を知っています。兵庫県と岡山県の県境、中国自動車道より少し北上した一帯では、タチアオイの花が下から順々に咲き上がって、「いちばん上のつぼみが咲いたら梅雨が明ける」といっています。また、ハギの花  が咲くと、アユやウナギが海に向かって川をくだり始めるので、川からいなくなることを知らせています。ワラビやウドが出盛り  になると、ヤマメ（この地方ではヒラメという）がおいしくなる・‥‥・。和歌山では、サクラの花盛りにはサワラがよくとれるようになります。
花は自然現象の予言者になり、だんだん神様のようになったのでしょう。それで、花は人と自然の窓ロになったのです。
【００１３】
ところで、１９９８年の１０月に、高知県土佐市の居徳遺跡から縄文時代晩期（約２５００年前）のものとみられる漆器が出土しました。この漆器はクスノキをくりぬいてつくられており、表面には、黒の薄い漆地に赤い漆でさまざまな花の文様が細かく描かれています。縄文文化の研究者によれば、この時代には色彩群やかな文化があり、赤と黒を基本の色にしていたそうです。
【００１４】
やがて人々は、花の色の美しさを愛でるようになり、花からいろいろな文化が生まれるようになります。
春の新緑や秋の紅葉に染まった山を見たとき、人は「やっぱり、自然の色がいちばん」といいます。洋服やカーテンの色となると、よい色がないとか、好き嫌いをいう人でも、自然の色には誰も文句も好き嫌いもいいません。
自然の色彩がいちばん美しいことは誰でも知っています。人間が考え出したどんな色彩理論も色彩調和の方法も、自然を超えることはできないし、追いつくこともできません。自然の色と人間がデザインした色では、どこが違うのだろう‥…・。自然がしているように、誰でも引きつけられるような色彩がデザインできたら‥…・。
【００１５】
そうした願いから、特許出願の発明者はこの直接自然のふところに飛び込んで、自然のしている色彩の技をじっと見つめることにしました。そして、自然の色を一つひとつ、コツコツと記録し始めました。日本各地の自然の色だけではなく、マレシアの熱帯雨林やアメリカのオレゴン州の大自然にも足を運び、いろいろな自然の色を調べました。そのうち自然の色彩研究の拠点として、兵津県佐用郡上月町桜山というところに研究農園までつくりました。
【００１６】
気がついたら、１０年以上も自然の色を記録し続けていました。
そして、自然の色がなぜ美しいのか、その秘密を解くカギが見つかったのです。そのカギを使って自然の扉を開くと、自然界の新しい色彩調和の法則がいくつも姿を現しました。新しく見つかったそれらの自然法則から誕生したのが、「ナチュラルカラーリスト」です。ナチュラルカラーリストとは、自然のするようにコーディネートができるカラーシステムのことなのです。
【００１７】
以下に自然界の色彩調和の方法を説明します。
そして、どのようにしたら、私たちが自然のするようなカラーコーディネートを実践することができるのか、その方法についても述べていきたいと思います。
まず、自然の色がどのようにして成り立ち、なぜ調和しているのかということから始まり、誰がその創造主で、自然の色のオーケストラの名指挿者は誰なのかを明らかにします。自然の色のみごとなハーモニーを奏でる楽譜は、どんな譜面からできているのでしょうか。
【００１８】
自然の色を観察し、記録してきて発見した自然界の色彩調和の方法についても説明します。自然の色が調和している秘密、つまり、自然界の秩序ともいうべき色彩調和の新しい法則を植物のなかから見つけましたが、植物は自然界の色彩を支配している中心的な存在です。その植物の配色パターンは5つの基本パターンにまとめられ、自然界の法則はシンプルなことが分かります。
【００１９】
人はおもに自然の何から色を教わってきたのかについて述べます。それは花からですが、人類の歴史をさかのぼると、人がなぜ自然の色に引かれるのかがはっきりします。
自然のするように、色をデザインする方法を述べます。人が「自然の色がいちばん」と思うのは、自然の色が生きた姿をしているからです。自然の色が調和しているのは、自然の株序が働いているからです。自然は、色だけではなく、形も、材質も、大きさも、香りも、全体が自然調和されています。その自然の株序を、生態色彩心理という新しい切り口でキャッチします。
【００２０】
色彩のエコロジーデザイナーとも呼ばれるナチュラルカラーリストが、どのようにして自然のするように色をデザインしていくのか、その方法を紹介します。無限の色彩デザインの宝庫である自然のなかから、求めるデザインに最もふさわしい自然のモデルを見つけだし、その自然のように色彩をデザインするのが基本ですが、それをファッション、インテリア、空間デザイン、環境、製品デザインなどに適用していきます。
そして本発明に従うと、人と花が結びついて、人の自然美を開花させることができます。花の色によって顔の見え方が変わりますから、本願明細書の読者を美しく見せるための読者の方一人、一人にマッチした花をさがすこともできます。この点についての更なる詳細についてお知りになりたい方は、本件発明者又は出願にご連絡下さい。
【００２１】
なぜ、このように由然の色にこだわるのかというと、自然の色が最も美しいということのほかに、自然は人間の遺伝子のなかに組み込まれていて、人間そのものが自然から離れて生きていけないようになっているからです。
私たちの体には、自然がいっぱい詰まっていて、自然から分離されると病気や精神障害を起こします。アトピーが、その一つの例といえるでしょう。
【００２２】
ですから、ファッションでも家でも、自然の生き物のようにデザインしようというのがエコロジカルデザインの基本精神です。ナチュラルカラーリストを利用すれば、色も自然がするようにデザインできますから、このカラーシステムはエコロジカルデザインのためにできたものともいえます。
【００２３】
今まで私たちがやってきた色彩調和の方法は、人間によって考え出された人工の規則で色彩調和をする方法でした。そして、その方法は色だけをほかの要素から切り離して、色だけで考えることを教えられてきました。しかし、自然の姿を見ると、色だけを切り離して考えられません。自然の生き物の姿は、色、素材、形、大きさなどが、自然の株序で互いにつながりあって調和しています。だから、色だけをほかの要素から切り離すわけにはいかないのです。私たちは、バラの花の色だけを見て形を見ないでいることはできないし、形だけを見て色を見ないでいることもできません。自然の生き物の体は、全部が互いにつながりあっています。無駄なものも余分なものもありません。色は必要とされているから使われているのです。
【００２４】
自然のするように色彩をデザインするのが、自然の色彩に最も近づく道でしょう。ナチュラルカラーリストは、誰にでもそれができるように、しかも最短距離で道案内できるように考案されたカラーシステムなのです。
ナチュラルカラーリストは、人と自然を色でつなぎます。そのため色から自然の仕組みをとらえ、色の自然法則を学びます。そして、健康と精神の平和と環境にハーモニーするライフスタイルづくりに貢献します。
人はみな「自然の色がいちばん」といいます。色とりどりのどんな花を見ても、「この花の配色は間違っている」という人に出会ったことがありません。誰もが自然の色だと素直に従います。
【００２５】
そこで、素朴な疑問がわいてきます。自然の色はどのようにして生まれてきたのでしょう。誰が地球の自然の色をつくりだしたのでしょう。その創造主に会って、自然の色はどうして人間を引きつけるのか、聞いてみたくなります。
地球の最初の生命は、太古の海のなかに誕生したラン藻植物というバクテリアの類だそうです。そのラン藻植物が葉緑素と同棲を始めたらしいのです。葉緑素は太陽の光を食べて栄養をつくり、それを植物に食べさせると、植物の体が緑色に変わってきました。そして、植物が吐き出す酸素で空の色が青になり、オゾン層ができました。
【００２６】
ラン藻植物は海草に変身するのですが、そのころの陸地や島は、一点の緑もない赤サビ色の荒涼とした風景でした。海草はまずその陸上へと進出し始めます。つまり、潮の満ち引きによって波打ち際に取り残された海草がいて、そうなると海草は海に戻れないので、しょうがないから陸の環境に適応して生きていくようになったのです。すでにラン藻植物が吐き出した酸素がオゾン層をつくっていたので、陸の上に生物が住めるようになっていました。
陸の住人になった海草はコケに変身します。こうして、５億年前に赤茶けた地上にポツポツと緑が現れ始めます。コケは今度はシダ植物へと進化し、さらに針葉樹、ソテツヘとどんどん調子よく変身していき、２億５０００万年前になると地上はすっかり緑でおおわれるようになりました。
【００２７】
地上に植物が住むということは、動物にとっては食料品店が地上に開店したようなものです。その様子を、水のなかで力二やエビの仲間がじっと見ていました。なぜなら水のなかは動物でいっぱいで、競争相手が多いために食べていくのに苦労が多かったからです。そこで、地上の食料品店に食べ物を取りに出かけることにしたのです。なにせ、地上には競争相手がいないので食べ放題。それを見ていた魚も、陸へあがり食べ出しました。
このころの森林は、マングローブのように沼地の上に残っていました。このころの森林の緑は、現代のヒカゲノカズラ（常緑シダ植物）の緑に近い色と考えられています。そして1億5000万年前くらいには、セコイア、スギ、イチョウなどが茂り、おおよそ現在の森林に近い姿になっています。
【００２８】
いずれにしても、こうして陸は植物の緑でほとんどおおわれることになり、生き物にとって好まれる環境の色彩ができたのです。
地上を緑でおおいつくし、空の色を青くし、水の色を美しくしたのは「葉緑素」でした。葉緑素が自然の色の創造主ですが、この葉緑素というのは人間がどんなに逆立ちしてもつくり出せない代物です。そして、植物が葉緑素と同棲して緑になったことで、動物の色の運命も決まることになります。
【００２９】
自然界でいろばん色が多いのは植物界、次いで動物界です。なぜ植物界がいちばん多いかというと、植物は色で子孫を増やすうまいアイデアを考えつき、花という傑作をつくったからです。
セコイアやスギなどは裸子植物といって、花粉を風で飛ばして授粉して子孫をつくりますが、なにせ風まかせなので、どこへ花粉が飛んでいくやら分かりません。それで、大量の花粉をこしらえましたが、無駄も多いので、何とかもっと楽をして子孫を増やすことができないものかと考えました。
【００３０】
すると、カブトムシやコガネムシに花粉の宅急便を頼む賢いのがでてきました。虫が体に花粉をつけたまま、木から木へ飛び回るうちに授粉できたのです。これは楽だというので、こんどは花粉の運び屋の虫を自分の方に呼び寄せることに知恵をしぼり始めます。そして、色で虫を誘えることを発見し、さっそく色じかけを始めました。それで花粉のまわりにある葉の色は、緑に対して日立つ色をつけるようになったのです。このアイデアは大成功で、植物はわれもわれもと花をつくり始めました。
【００３１】
花の色はみな緑に対して日立つ色をつけます。そうなると植物の緑は動物の色を運命づけ、花の色の方針も決めたことになります。果実もやはり緑に対して目立つ色で動物を誘います。
動物が色彩を身につけるのは、おもに敵から身を守るためです。敵の目をごまかして見つけられにくくします。また、自分の弱さを隠すために、相手をおどすようなケバケバしい色をつける者、自分を食べても、まずそうに見せて嫌な色をつける者、なかには、雌を獲得するために色を使う者もいますが、それらの色はいつも緑との関係によって選ばれます。
【００３２】
植物と昆虫をつなぐのが花の色、植物と哺乳類をつなぐのが果実の色です。花や果実は、みな葉の緑をベースにしたコントラストカラーになっています。動物は葉の緑にまぎれ込める同系統の緑か、もしくはコントラストカラーです。
これで、自然界の色は植物の緑がベースにデザインされていることがはっきりするでしょう。
つまり自然界の色の指揮者は、植物の葉ということになります。
自然の色をつくったのが葉緑素で、自然の色の指揮者が植物の葉ということが分かりましたが、それなら自然の色をどのようにして調和させているのでしょう。
【００３３】
いま1本のガクアジサイを見ると、１００色近い色が織りなしています。ふつう、そんなにたくさんの色を使うと、色がガヤガヤしてうるさいものですが、ガクアジサイを見て、色がうるさいとか、違和感があるという印象はまったくありません。それは−体なぜなのでしょうか？  自然の色の指揮者は、どんな楽譜を使ってガクアジサイの色のオーケストラをまとめているのでしょうか？
楽譜に何か書き込まれているとしたら、自然に何か法則のようなものがあるとしたら、それを教えてもらいたいと思いました。誰に聞いても、返ってくるのは「それは当たり前、自然なんだから」という言葉だけで、納得できるものがありません。
【００３４】
しかたがないので、自分で調べることにしました。といっても大自然を相手に、どこから手をつけたらよいか分かりません。まるで太平洋をカヌーで漕ぎ出すような心境になり、大海原を前にすると何だか自分がとんでもなく小さく感じられますが、自然には何かが必ずある……。湯川秀樹博士の「自然界は一見とても複雑に見えるが、つきつめていくと簡単な法則でできている」という言葉を唯一の励みとして、さっそく調査を開始することにしました。
【００３５】
じつはふとしたことで抱いた疑問があり、それが下記で詳細に紹介する「自然法則」を見つける−つのきっかけになっています。「自然だから当たり前」と思っている人には信じられない発想だと思いますが、そこから大きなヒントをつかみましたので、それについて述べたいと思います。
【００３６】
セーターやズボンを買いに行くと、販売員の人が「このセーターにはこの色のズボンの方がよく合いますよ」などといって、鏡の前でいくつかの組み合わせを見せてくれます。あなたも買い物をするときは、気に入った組み合わせができるまで、あれこれと組み合わせを変えてみるでしょう。
私たちが洋服を選ぶときなどはこうするのがふつうですが、花はそうはいきません。たとえば、アジサイが自分の色がいやになったからといって、ハイビスカスと色を交換してもらうわけにはいきません。花がそれでいいのは、彼女たちはもともと色が調和しているので、換える必要がないのです。
【００３７】
でも、色の交換をやってみたらどうなるだろうと考えたのです。
私たちが色を選ぶように、花の色を交換してみたら、実際にどうなるだろう。
それでまず、アジサイの花とハイビスカスの花を互いにつけ換えてみました。アジサイの花にハイビスカスの葉、ハイビスカスの花にアジサイの葉というふうに組み合わせたのですが、そうするとアジサイもハイビスカスも手足がバラバラになったようで、何とも不自然に感じられます。ハイビスカスもアジサイの花も、とても変な顔に見えるのです。
【００３８】
次に、アジサイの花をブーゲンビレアの花と互いにつけ換えてみました。アジサイの花にブーゲンビレアの葉、ブーゲンビレアの花にアジサイの葉という組み合わせになりますが、すると今度はどうでしょう。アジサイは、ハイビスカスの花と取り換えたときほど違和感はありません。
こんなことをいろいろ繰り返していくうちに、アジサイとハイビスカスのように違和感が大きいペアと、アジサイとブーゲンビレアのように違和感がほとんどないペアがあるのが分かってきました。
【００３９】
なぜこうした違いが出てくるのでしょう。これは違う種類の花を取り換えているんだという「先入観」があって、それから違和感がくるものなのでしょうか。それとも、もともと植物には、そんな花と実の色の組み合わせがなくて、「なじみが薄い」から違和感を覚えるのでしょうか。先入観の問題だとしたら、なぜアジサイとブーゲンビレアを取り換えたときは違和感が少ないのでしょうか。
先入感かなじみの問題を考えているときに、花は葉が生み出したものであるということを思い出しました。葉と花の間には、つまり親子の血が流れているのです。
【００４０】
そもそも葉の緑色は、植物の種類によって違います。
早々にアジサイとハイビスカスとブーゲンビレアの葉の緑色を比べてみました。アジサイとブーゲンピビレアの葉の緑は色相が近く、ハイビスカスの葉だけが、このなかでいちばんかけ離れた色相の緑をしています。花は葉が生んだものですから、ひょっとしたら葉の緑が花の色に影響しているのではないだろうか考えました。
【００４１】
よし、菜の緑と花の色の組み合わせを調べてみよう。近くに六甲山がありますから、まず六甲山を歩き回り、それから中国山脈、日本アルプス周辺、沖縄へと範囲を広げ、手当たり次第に色を記録していきました。
1本の花から平均して４０色ぐらいの色を記録しました。色は根を張って生きている植物から直接記録しました。そして、確かに記録したという証拠を残すために、写真にも撮りました。
調査した植物が特定の生態環境にかたよらないように、いろいろな種類の植物相の植物について、色のデータをとりました。熱帯から亜熱帯、高山植物から低地植物、国内だけではあきたらなくなり、マレーシアの熱帯雨林とか、アメリカのオレゴン州山岳地帯にも足をのばしました。世界の植物をできるだけ記録したかったので、植物薗にも足を運びました。データが増えるにつれ、自分でも混乱してしまって、あとで調べると「これもやった、あれもやった」ということに有り、1日に１，２種類しか新しいデータが増えないときもありました。
【００４２】
こうして１０年がかりで調べた植物の色の種類は、1万種類を超えました。話はそれますが、その間に、自然色彩研究の拠点として、兵庫県佐用郡上月町という田舎に自然色彩研究農薗までつくってしまいました。この研究農園の栽培面積は６００坪で、観察地域はその周辺の約３０キロメートル四方の野山になります。
集まった色データの分類作業が延々と続きました。そのうち、色の自然法則に関する一つが見えてきました。実は植物の色には秩序があるのです。
【００４３】
自然法則というのは、要するに自然の株序を生み出しているもとになるものです。したがって「色の自然法則」は、自然界の色の秩序を生み出すもとになる、仕組み、法則のことです。自然の色の快適な刺激のリズムの法則といってもいいのです。
こうして、自然の色が調和している秘密を解くカギ自然法則を見つけることができました。下記にその自然法則について詳しく解説することにします。
【００４４】
植物には人間が最もなじんでいる「中心の緑」がある
最初に、自然界の色の基準となった植物の葉の緑から考えていくことにします。
まず、緑の色相は黄緑から青の間で分布しています。けれども、葉の緑はその間に平均的に分布しているのではなく、特定の地帯の色相にかなり多く集まっています。その状態は図１のように、そこだけ大きく盛り上がって、左右に広がっています。この中心帯の緑に、人はいちばん多く目に触れきたので、人が最もなじんだ緑、親しんできた緑であるということができます。そして、この色相帯の緑が植物界の中心の緑になります。中心の緑の仲間に入る植物には、松の緑や稲の緑などがあります。
【００４５】
私たちは人工的に考えられた色相環やマンセル色票が頭にあるので、色は何でも平均的に分布しているものと錯覚していますが、それは幻想なのです。自然という現実の色は機械的に分布されていません。また、人間が決めた色相環の中心の緑は、植物界の中心の緑と比べると青の方向へずれています。
【００４６】
そこで、中心帯の緑を「エアロ」の緑と呼びます。中心より黄緑側に寄った、やや興奮印象の緑を「ソル」の緑、青の側に寄った、やや沈静印象の緑を「アクア」の緑と呼びます。
エアロは空気、ソルは太陽、アクアは水の意味ですが、どれも植物の生育に欠かせない要素からつけたネーミングです。
【００４７】
葉の緑の色相で花の色の傾向が決まる。
次に葉の緑のタイプから、どのような花の色が生まれるかをみていきましょう。葉の緑と赤系統の花の関係で説明すると、次のようになります。ちなみに、中心になるエアロの緑は松、中心よリ黄緑側に寄ったソルの緑は柿の葉、青の側に寄ったアクアの緑はアジサイになります。
（1）ソルの緑の葉からは、オレンジの方向に片寄った赤が生まれている。
（2）アクアの緑の葉からは、ワインレッドの方向に片寄った赤が生まれている。
（3）エアロの緑の葉からは、オレンジからワインレッドまで広い幅の色相の赤の花が生まれている。
花の赤もエアロ帯を中心にして、ソルの赤とアクアの赤に分かれます。ソルの赤はオレンジ方向、アクアの赤はワインレッド方向になりますが、赤系統の花の色と、それぞれに属する花にはどのようなものがあるか代表的な花をあげてみました。
【００４８】
ハイビスカスと熱帯スイレンとブーゲンビレアのケースで説明すると、この３つのなかでは、熱帯スイレンの葉はエアロで、花の赤もエアロになります。ハイビスカスの葉はソルで、花もソルの赤、ブーゲンビレアはアクアの緑で、花はアクアの赤です。なお、エアロの緑からは幅広い赤系統の色の花が咲いていますがエアロの緑とアクアの赤の組み合わせには、レンゲ草、ワインレッドのバラ、エアロの緑とソルの赤の組み合わせには、オレンジ色のバラ、チユーリップなどがあります。
【００４９】
【表  １】
0003659862.tif 000002
【００５０】
黄色の花にも同じことがいえます。エアロ帯を中心にして、オレンジ方向寄りがソルの黄色、黄緑方向寄りがアクアの黄色になります。ちなみに、タンポポは葉も花もエアロ、キンセンカは葉も花もソル、菜の花はどちらもアクアになります。
以下、白い花、ピンクの花、紫の花も、同じようにエアロを中心に、ソル、アクアと分かれます。
【００５１】
花のなかの色構成まで葉の緑のタイプで傾向が決まる。
花の色は1色だけでできているのではありません。雄しべ、雌しべ、ガク、茎などもあり、いろいろな色が使われています。たとえばハイビスカスの花のなかには、花びらの赤のほかに花粉の黄色がありますが、赤だけではなく、黄色も葉の緑によって色の傾向が決まり、すべての色はソルのカテゴリーの色で構成されています。
つまり、葉の緑のタイプ、色相によって、花のなかの色構成までエアロ、ソル、アクアが決まるのです。何と1万種類の植物の色の記録のうち、97％がこの自然法則に当てはまります。
【００５２】
ときに違和感を感じたのは、つまりこれらの花と同じ組み合わせだからです。アジサイの花の赤（アクア）にハイビスカスの葉の緑（ソル）、そして、ハイビスカスの赤（ソル）にアジサイの緑（アクア）の組み合わせは、植物のなかにめったにない組み合わせなので、見慣れていないせいなのです。
ですから、次の「先入観かなじみの問題か」に関して言うと、違和感を感じる度合いは、なじみの問題であって、先入観の問題ではないことが分かります。
それから、アジサイ（アクア）とブーゲンビレア（アクア）の花を取り換えましたが、この場合に違和感がなかったのは、ソルとアクアの組み合わせと違って、アクアとアクアの組み合わせであり、これは植物のなかにたくさんあり見慣れているからです。
【００５３】
すなわち、本発明におけるエアロカラーの緑（以下エアロの緑という）とは植物界における葉の緑の色相の中で最も多く存在する色相をいう。例えば松、サクラ、梅、桃、イネ、サザンカ、タンポポ等の葉の緑のことで、人間に最もなじんだ緑である。ソルカラーの緑（以下ソルの緑という）とは、エアロの緑に黄味を感じさせる色相の緑であって、黄緑とエアロの緑の間に存在する色相の緑すべてをソルの緑という。
【００５４】
エアロの緑とソルの緑とエアロの緑との関係は第１図に示される。横軸に色相をとり、縦軸に植物界における葉の緑の頻度をとる。上記のように１番頻度が多いのがエアロの緑で、エアロの緑と黄緑の間の色相のすべてがソルの緑であることがよく判る。
【００５５】
アクアカラーの緑（以下アクアの緑という）は、エアロの緑と青との間に存在する色相の緑全てをいう。
赤については、エアロの緑の葉を持つ植物からどのような種類の赤色の花が生まれるのか、ソルの緑の葉を持つ植物からどのような種類の赤色の花が生まれるのか、そしてアクアの緑の葉を持つ植物からどのような種類の赤色の花が生まれるのかを観察した。その結果、エアロの赤はエアロの緑の葉を持つ植物からは生まれるが、ソル又はアクアの緑の葉を有する植物からは実質的に生まれてこない赤であると定義する。
【００５６】
すなわち、エアロの赤とは実質的にエアロの緑の葉を持つ植物のみから生まれてくる赤である。アクアの赤とは、エアロの赤と紫の間に存在する全ての色相の赤である。ソルの赤とはエアロの赤と黄の間に存在する全ての色相の赤である。黄については、実質的にエアロの緑の葉を持つ植物のみから生まれた黄で、ソル又はアクアの緑の葉を持つ植物から実質的に生まれてはこない黄をエアロの黄と定義する。ソルの黄とはオレンジとエアロの黄の間に存在する全ての色相の黄である。アクアの黄とはエアロの黄と黄緑の間に存在する全ての色相の黄である。
【００５７】
ついで黄緑について、エアロの黄緑とは植物界で一番頻度の高い、すなわち最も多く存在する黄緑のこと、あるいはエアロの緑の葉を有する植物に存在する黄緑で、ソル又はアクアの緑の葉を有する植物には実質的に存在していない黄緑である。実質的とは確率が低いものを無視してという意味である（上記、下記も同じ）。ソルの黄緑とはエアロの黄緑と黄との間の全ての色相のことで、アクアの黄緑とエアロの黄緑と緑との間の色相のことである。ピンクは、赤の明度が上がったものであるから、エアロ、ソル及びアクアの赤に明度を上げたものがそれぞれエアロのピンク、ソルのピンクおよびアクアのピンクである。
【００５８】
紫については、エアロの紫とは実質的にエアロの緑の葉を持つ植物にのみ存在する紫のことである。エアロの紫と赤の間の全ての色相をソルの紫といい、エアロの紫と青との間の全ての色相をアクアの紫という。エアロの紫はソル又はアクアの緑を持つ植物には実質的に存在しない紫である。
【００５９】
ついで白について、エアロの白とはエアロの緑の葉を持つ植物から生まれている白あって、実質的にソル又はアクアの緑の葉を持つ植物から生まれていない白のことである。エアロの白と赤味または黄味をおびた白の間に存在する色相をソルの白といい、エアロの白と青味又は緑みをおびた白の間に存在する白をエアロの色という。グレーについても黒についても上記白と同じことがいえる。つまり、エアロ、ソルおよびアクアの黒と灰色は白と同じように定義できる。
【００６０】
さて、青については、エアロの青とはソル又はエアロの緑の葉を持つ植物から生まれる青であり、アクアの青とはエアロまたはアクアの緑の葉を持つ植物から生まれる青であり、ソルの青は存在しない。
ついでに茶について、エアロの茶とはエアロまたはアクアの緑を有する植物から生まれる茶であって、ソルの茶とはエアロまたはソルの緑を持った植物から生まれる茶であって、アクアの茶は存在しない。
【００６１】
さて、本発明において基盤とする配色を決定する法則は以下の５原則にまとめることができる。
植物１株ごとの１植物の配色パターンは５つのグループに集約される。この５つのどれかに当てはまる配色パターンは人類が最もなじんできた自然配色で、誰もが快適に受け入れる。この自然色に反するものは、多くのの人が違和感を抱き、配色に美しさを感じさせない。
【００６２】
１．ソルだけの配色構成
２．エアロだけの配色構成
３．アクアだけの配色構成
４．エアロとソルの混合配色構成又は
５．エアロとアクアの混合配色構成
【００６３】
すなわち、本発明によれば図２に示すように、２以上の色彩がイ）ソルだけの構成になる、ロ）エアロだけの構成になる、ハ）アクアだけの構成になる、ニ）エアロとソルの混合構成になる又はニ）エアロとアクアの混合構成となるよう、該２以上の色彩を選択すれば、快適な色彩の配色を決定できる。
次のようにいうこともできる。
【００６４】
１．エアロの色ならば他のエアロ、ソル又はアクアの色と組合せ構成してよい。
２．ソルとアクアとの混合で色の配色の構成をしてはならない。
３．ソルはソル同士かエアロとの混成、そしてアクアはアクア同士かエアロとの混成がよい。
【発明の実施の形態】
【００６５】
【実施例】
図３、図４、図５及び図６に示される４枚のカラーカードを用いる。
図３には、ソルの赤（１）、エアロの赤（２）、アクアの赤（３）、アクアのピンク（４）、エアロのピンク（５）及びソルのピンク（６）を彩色した。
図４には、ソルの黄（７）、エアロの黄（８）、アクアの黄（９）、アクアの緑（１０）、エアロの緑（１１）およびソルの緑（１２）を彩色した。
図５には、ソルの紫（１３）、エアロの紫（１４）、アクアの紫（１５）、アクアの白（１６）、エアロの白（１７）およびソルの白（１８）を彩色した。
図６には、明度の高いソルの茶（１９）、明度の低いソルの茶（２０）、明度の低いエアロの茶（２１）、明度の高いエアロの茶（２２）、明度の高いアクアの青（２３）、明度の低いアクアの青（２４）、明度の低いエアロの青（２５）及び明度の高いエアロの青（２６）を彩色した。
【００６６】
なお、各扇形部分の色彩を財団法人日本規格協会発行、日本色彩研究所製作のＪＩＳ標準色票（ＪＩＳ  Ｚ  ８７２１準拠）による色番号を記載する。
（１）：  ５Ｒ  ４／１４
（２）：  １０ＲＰ  ４／１４
（３）：  ５ＲＰ  ４／１２
（４）：  ５ＲＰ  ７／８
（５）：  １０ＲＰ  ７／８
（６）：  ５Ｒ  ７／８
（７）：  １０ＹＲ  ８／１０
（８）：  ２．５Ｙ  ８／１０
（９）：  ７．５Ｙ  ８／１０
（１０）：  ２．５Ｇ  ４／６
（１１）：  ７．５ＧＹ  ４／６
（１２）：  ２．５ＧＹ  ４／６
（１３）：  １０Ｐ  ４／６
（１４）：  ７．５Ｐ  ４／８
（１５）：  ５Ｐ  ４／８
（１６）：  ７．５Ｂ  ９／１
（１７）：  ２．５Ｙ  ９／１
（１８）：  ７．５ＹＲ  ９／１
（１９）：  ２．５ＹＲ  ６／６
（２０）：  ２．５ＹＲ  ３／４
（２１）：  １０ＲＰ  ３／４
（２２）：  １０ＲＰ  ６／４
（２３）：  ５ＰＢ  ６／８
（２４）：  ７．５ＰＢ  ３／１０
（２５）：  ２．５ＰＢ  ４／８
（２６）：  ２．５ＰＢ  ６／６
【００６７】
ある対象の赤と調和する緑を選定する。
この対象の赤はソルかエアロかアクアか不明である。対象の赤がソルかエアロかアクアかをまず決定する。
図３のカラーカードの中央部の孔にその対象の赤をあてがう。その孔にあてがわれた赤と（１）、（２）及び（３）のソル、エアロ及びアクアの赤のと対比して、その対象の赤が色相において一番近い赤がエアロの赤（２）であれば、その対象の赤はエアロの赤と決定される。
【００６８】
そうするとこの対象の赤（エアロ）と配色すべき緑は上記の５原則に従ってアクアでもよいし、ソルであってもよいし、エアロであってもよい。
もし、その対象の赤がソルの赤と判定されると、この対象の赤（ソル）と配色される緑はソル又はエアロの緑でなければならない。この対象の赤（ソル）とアクアの緑と配色してはならない。
対象の赤がアクアの赤と判定されると配色すべき緑はアクアの緑かエアロの緑であって、ソルの緑であってはならない。
【００６９】
次に茶と青以外は上記と同様に対象の色のソル、エアロ又はアクアのいずれに属するか決定して上記５原則に従って配色を決定する。青にはソルがないし、茶にはアクアが存在しない。対象の茶又は青がエアロであれば、これらの対象はソル、エアロまたはアクアのいかなる色と配色させてよい。対象の青がアクアであれば、いかなる色のソルとも組み合わせてはならない。又対象の茶がソルと判定されるといかなる色のアクアとも配色組み合わせてはならない。
【００７０】
本発明のカラーカードの好ましい実施の態様の一つを下記する。赤色、ピンク色、黄色、緑色、紫色、茶色及び白色について、ソルカラー、エアロカラー及びアクアカラーのカラーチャートを作成し、各カラーチャートは赤色、ピンク色、黄色、緑色、紫色、青色及び茶色については明度が最も低い色から最も高い色まで５段階を設け、白については１段階とする。カラーカード作成には、赤色、ピンク色、黄色、紫色及び緑色については、ソルカラー、エアロカラー及びアクアカラー共に、明度が中間位のものを選択する。青色及び茶色については、アクアカラーの黄色もソルカラーの青色も天然には実質的に存在しない。茶色のソルカラー及びエアロカラーのそれぞれについて明度の高いものと低いものの計４種類をカラーカードに載せる。
又青色についてもエアロカラーとアクアカラーのそれぞれについて明度の高いものと低いものの計４種類をカラーカードに載せる。
【００７１】
本発明の器材又は方法を使用して配色が決定されるものは極めて多種類にわたる。あらゆる工業製品（例えば電気製品、衣料、食品、医薬品、建築材料、化粧品）、建造物、部屋、病院、飛行機、電車、ありとあらゆる彩色を施される物品を包含する。
【００７２】
【発明の効果】
今まで調和のある配色を決定するのに、個人の感覚的もしくは常識的なコツ又勘に依拠して決定していたが、本発明においては自然法則に従ったソル、エアロおよびアクアの色相を用いることによって、簡便に、人類が最もなじんでいる植物に見られる配色法則に基づくという絶対的な自然調和した配色が得られる。又エアロカラーはエアロカラ−、ソルカラー及びアクアカラーのいずれの色相とも調和するという発見により、エアロカラーでデザインすると幅広い調和のある色彩配色の選定が可能となる。
【図面の簡単な説明】
【図  １】  植物の葉の緑の色相の分布図。
【図  ２】  自然の配色構成５パターンを示す。
【図  ３】  赤とピンクのカラーカード
【図  ４】  黄と緑のカラーカード
【図  ５】  紫と白のカラーカード
【図  ６】  茶と青とのカラーカード
【図１】
0003659862.tif 000003
【図２】
0003659862.tif 000004
【図３】
0003659862.tif 000005
【図４】
0003659862.tif 000006
【図５】
0003659862.tif 000007
【図６】
0003659862.tif 000008